(57)【要約】  低コストで発電量が多い太陽光発電設備の設計を支援する。  学習済みモデル４２は、参照用の太陽光発電設備１２Ａ、１２Ｂ、１２Ｃの敷地データ１６Ａ、１６Ｂ、１６Ｃ、参照用太陽光パネル２０Ａ、２０Ｂ、２０Ｃの設置角のデータを含むパネル配置データ２２Ａ、２２Ｂ、２２Ｃ、パネル仕様データ２４Ａ、２４Ｂ、２４Ｃ、太陽方向データ２６Ａ、２６Ｂ、２６Ｃ、気象データ３２Ａ、３２Ｂ、３２Ｃ、及び発電データ３４Ａ、３４Ｂ、３４Ｃを含む参照用データ３６を学習することにより作成される。設計支援装置は、太陽光パネルの設置角が相異なる複数の暫定パネル配置データ毎に該暫定パネル配置データ及び入力データを学習済みモデル４２によって処理することにより所定の期間の積算発電量を算出し、積算発電量が最大である暫定パネル配置データを抽出する。
2019155594.tif 000002
【特許請求の範囲】
【請求項１】
設計対象物である太陽光発電設備の敷地の敷地データ、前記太陽光発電設備で使用される太陽光パネルの発電性能のデータを含むパネル仕様データ、前記敷地の位置における時系列の太陽の方向を示す太陽方向データ、及び前記敷地に対応する地域の時系列の気象データを含む入力データを取得するように構成された入力データ取得部と、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記参照用データに対応するデータから前記発電データに対応するデータを推定する学習済みモデルを備え、設置角が相異なる前記太陽光パネルの複数の暫定パネル配置データを作成し、前記暫定パネル配置データ毎に該暫定パネル配置データ及び前記入力データを前記学習済みモデルによって処理することにより時系列の発電量を算出し、前記時系列の発電量を積算することにより所定の期間の積算発電量を算出し、前記所定の期間の積算発電量が最大である前記暫定パネル配置データを抽出する算出部と、
を有する太陽光発電設備の設計支援装置。
【請求項２】
前記入力データに含まれるパネル仕様データは前記設計対象物である太陽光発電設備で使用される太陽光パネルの寸法のデータを含み、
前記参照用データに含まれるパネル配置データ及びパネル仕様データの少なくとも一方は、前記参照用太陽光パネルの寸法のデータを含み、
前記参照用データに含まれるパネル配置データは前記参照用太陽光パネルの設置位置のデータを含み、
前記算出部は、設置位置が相異なる前記太陽光パネルの複数の暫定パネル配置データを作成するように構成された請求項１に記載の太陽光発電設備の設計支援装置。
【請求項３】
前記入力データに含まれる敷地データは、前記設計対象物である太陽光発電設備の敷地の地形データと、太陽光を遮り前記敷地に影を落とす遮光要素の形状及び位置を示す遮光要素データを含み、
前記参照用データに含まれる敷地データは、前記参照用の太陽光発電設備の敷地の地形データと、太陽光を遮り前記敷地に影を落とす遮光要素の形状及び位置を示す遮光要素データを含み、
前記算出部は、前記地形データ及び前記遮光要素データを含む入力データを前記学習済みモデルによって処理する請求項２に記載の太陽光発電設備の設計支援装置。
【請求項４】
前記設計対象物である太陽光発電設備の敷地の画像データを取得するように構成された画像データ取得部と、
前記画像データに基づいて前記設計対象物である太陽光発電設備の敷地の前記地形データ、及び前記遮光要素データの少なくとも一方に相当する入力データを作成するように構成された画像データ処理部と、をさらに有し、
前記入力データ取得部は、前記画像データ処理部が作成した入力データを取得するように構成された請求項３に記載の太陽光発電設備の設計支援装置。
【請求項５】
前記入力データ取得部は、前記設計対象物である太陽光発電設備で使用される太陽光パネルの設置角のデータを含む設計対象パネル配置データも取得できるように構成され、
前記算出部は、前記入力データ取得部が前記設計対象パネル配置データを取得した場合、前記設計対象パネル配置データに対応する前記設計対象物である太陽光発電設備の所定の期間の積算発電量を算出して出力部に出力するように構成された請求項１に記載の太陽光発電設備の設計支援装置。
【請求項６】
設計対象物である太陽光発電設備の敷地の敷地データ、前記太陽光発電設備で使用される太陽光パネルの設置角のデータを含むパネル配置設計データ、前記太陽光パネルの発電性能のデータを含むパネル仕様データ、前記敷地の位置における時系列の太陽の方向を示す太陽方向データ、及び前記敷地に対応する地域の日射量のデータを含む時系列の気象データを含む入力データを取得するように構成された入力データ取得部と、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記参照用データに対応するデータから前記発電データに対応するデータを推定する学習済みモデルを備え、前記入力データを前記学習済みモデルによって処理することにより時系列の発電量を算出し、前記時系列の発電量を積算することにより所定の期間の積算発電量を算出して出力部に出力するように構成された算出部と、
を有する太陽光発電設備の設計支援装置。
【請求項７】
入力データ取得部が、設計対象物である太陽光発電設備の敷地の敷地データ、前記太陽光発電設備で使用される太陽光パネルの発電性能のデータを含むパネル仕様データ、前記敷地の位置における時系列の太陽の方向を示す太陽方向データ、及び前記敷地に対応する地域の時系列の気象データを含む入力データを取得する入力データ取得ステップと、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記学習用データに対応するデータから前記発電データに対応するデータを推定する学習済みモデルを備える算出部が、設置角が相異なる前記太陽光パネルの複数の暫定パネル配置データを作成し、前記暫定パネル配置データ毎に該暫定パネル配置データ及び前記入力データを前記学習済みモデルによって処理することにより時系列の発電量に相当する値を算出し、前記時系列の発電量を積算することにより所定の期間の積算発電量に相当する値を算出し、前記所定の期間の積算発電量が最大である前記暫定パネル配置データを抽出する算出ステップと、
を有する太陽光発電設備の設計支援方法。
【請求項８】
太陽光発電設備の設計支援装置を、
設計対象物である太陽光発電設備の敷地の敷地データ、前記太陽光発電設備で使用される太陽光パネルの発電性能のデータを含むパネル仕様データ、前記敷地の位置における時系列の太陽の方向を示す太陽方向データ、及び前記敷地に対応する地域の時系列の気象データを含む入力データを取得するように構成された入力データ取得部と、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記学習用データに対応するデータから前記発電データに対応するデータを推定する学習済みモデルを備え、設置角が相異なる前記太陽光パネルの複数の暫定パネル配置データを作成し、前記暫定パネル配置データ毎に該暫定パネル配置データ及び前記入力データを前記学習済みモデルによって処理することにより時系列の発電量を算出し、前記時系列の発電量を積算することにより所定の期間の積算発電量を算出し、前記所定の期間の積算発電量が最大である前記暫定パネル配置データを抽出する算出部、
として機能させるための太陽光発電設備の設計支援プログラム。
【請求項９】
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データを取得するように構成された参照用データ取得部と、
前記参照用データの複数の構成データの組の関係を学習することにより、前記発電データを除く前記参照用データに対応するデータから前記発電データに対応するデータを推定する学習済みモデルを作成するように構成された学習機能部と、
を有する太陽光発電設備の設計支援用学習済みモデル作成装置。
【請求項１０】
前記パネル配置データは前記参照用太陽光パネルの設置位置のデータも含み、
前記パネル配置データ及びパネル仕様データの少なくとも一方は、前記参照用太陽光パネルの寸法のデータも含む請求項９に記載の太陽光発電設備の設計支援用学習済みモデル作成装置。
【請求項１１】
前記敷地データは、前記参照用の太陽光発電設備の敷地の地形データと、太陽光を遮り前記敷地に影を落とす遮光要素の形状及び位置を示す遮光要素データを含む請求項１０に記載の太陽光発電設備の設計支援装置。
【請求項１２】
前記参照用の太陽光発電設備の敷地の画像データを取得するように構成された画像データ取得部と、
前記画像データに基づいて前記パネル配置データ、前記地形データ、及び前記遮光要素データの少なくとも１つのデータに相当する参照データを作成するように構成された画像データ処理部と、を更に有し、
前記参照用データ取得部は、前記画像データ処理部が作成した参照用データを取得するように構成された請求項１１に記載の太陽光発電設備の設計支援用学習済みモデル作成装置。
【発明の詳細な説明】
【技術分野】
【０００１】
本発明は、太陽光パネルの設置角等の設計を支援するための装置、方法、プログラム及びこれらに使用される学習済みモデルの作成装置に関する。
【背景技術】
【０００２】
地球温暖化対策の１つとして太陽光発電が普及しつつある。一方、近年、太陽光発電の売電価格は抑制される傾向がある。このため、低コストでありながら発電量が多い太陽光発電設備が求められている。発電量は、太陽光パネルの変換効率に加え、太陽光パネルの設置角（傾斜角及び方位角）や設置位置にも影響される。具体的には、太陽の仰角（高度）や方位角は時間や季節により変化するので、太陽光パネルの設置角によって太陽光パネルが受ける日射量も変化し、発電量が増減する。なお、太陽の仰角や方位角の変化に対応して太陽光パネルが太陽を追尾するように構成された追尾型の架台が知られているが、このような追尾型の架台はコストが高いという問題がある。【０００３】
固定された太陽光パネルの発電量を増やすためには太陽光パネルの設置角や設置位置の設計が重要である。従来、一般的には、太陽光パネルの方位角は真南が推奨されている。一方、太陽光パネルの傾斜角としては５〜４０度（仰角８５〜５０度）が推奨されている。太陽光パネルの傾斜角は、太陽光発電設備の経度や緯度の違いによる太陽の仰角や方位角の違いに加え、太陽光パネルの相互の影の影響、雪や埃の堆積、風に対する架台の強度等を考慮して設計されている。より詳細には、太陽光パネルの傾斜角が大きい場合（一例として３０度（仰角６０度））の方が、傾斜角が小さい場合（一例として１０度（仰角８０度））よりも、１枚の太陽光パネルが受ける平均的な日射量は多くなる傾向がある。また、傾斜角が大きい場合、雪や土埃等が堆積しにくいというメリットもある。一方、太陽光パネルの傾斜角が大きい場合の方が、傾斜角が小さい場合よりも、隣接する他の太陽光パネルに影を落としやすくなる。したがって、隣接する２枚の太陽光パネルの間隔を大きくする必要がある。このため、設置される太陽光パネルの数が少なくなってしまい、発電量が却って減ってしまうことがある。また、太陽光パネルの傾斜角が大きい場合の方が、傾斜角が小さい場合よりも、風の影響を受けやすくなるので強度が高い架台が要求されることがあり、コスト増大の要因となりうる。【０００４】
また、太陽光発電の発電量は、天候にも大きく影響される。例えば、曇りや雨の場合、晴れの場合よりも太陽光パネルが受ける日射量が少なくなる。また、太陽光パネルの発電効率は気温が高いほど低下する傾向がある。また、太陽光発電設備には電柱が設置されることが多く、電柱が太陽光パネルに影を落とすことにより、発電量が減ってしまうことがある。さらに近年、太陽光発電設備に適した、十分に広く平坦な敷地は少なくなってきている。このため、比較的狭い敷地やいびつな形状の敷地、或いは山間部等の傾斜した敷地や起伏のある敷地に太陽光発電設備を設置したいというニーズがある。このような場合、太陽光発電設備の周辺の倉庫等の建造物や樹木、山等が太陽光パネルに影を落とすことがあり、発電量が減ってしまう要因となる。また、敷地の形状により太陽光パネルの方位角や設置位置が制約されることがある。例えば、１つの太陽光発電設備の中の一部または全部の太陽光パネルの方位角が真南ではない場合がある。このように太陽光発電の発電量には様々な自然条件や立地条件等が影響するため、太陽光パネルの最適な設置角や設置位置を決めることは容易ではない。【０００５】
これに対し、太陽光パネルの設置角、季節や時間帯ごとの太陽光の入射量の条件設定を変化させて発電量を算出し、算出された発電量に基づいて年間の買電費用を算出し、算出された買電費用に基づいて太陽光パネルの設置角を決める手法が知られている（特許文献１参照）。特許文献１には、太陽光パネルの設置地点の設置位置、及び遮光体となる周辺環境に係る環境情報を含む位置情報、及び晴天率を考慮して太陽光の入射量を算出し、発電量を算出することも記載されている。特許文献１の手法によれば、太陽の仰角、方位角の変化だけでなく、天候や太陽光パネルに影を落とす周辺環境の影響もある程度反映して、太陽光パネルの設置角を決めることができる。しかしながら、特許文献１の手法では、雪や土埃等の堆積の影響や、太陽光パネルの相互の影の影響は考慮されていない。また、太陽光パネルに影を落とす周辺環境の影響を反映する手法としては、特許文献１には日射率に反映することが記載されているのみであり、局所的な影の影響を反映する具体的な手法は示されていない。周囲の建造物や、樹木、土等の影や天候の影響は複雑である。したがって、特許文献１の手法を用いたとしても、算出される発電量と実際の発電量とのずれが大きい場合があると考えられる。すなわち、算出される設置角が最適なものではない場合もあると考えられる。【０００６】
また、天候データと発電量データを学習することにより発電量を予測する手法が知られている（特許文献２参照）。特許文献２の手法によれば、算出される発電量と実際の発電量との天候の影響によるずれを抑制できると考えられる。しかしながら、特許文献２にも、雪や土埃等の堆積の影響を反映する手法は示されていない。
【先行技術文献】
【特許文献】
【０００７】
【特許文献１】特開２０１７−１７４１７５号公報
【特許文献２】特開２０１３−０９９１４３号公報
【発明の概要】
【発明が解決しようとする課題】
【０００８】
本発明は、低コストで発電量が多い太陽光発電設備の設計を支援することを目的とする。
【課題を解決するための手段】
【０００９】
本発明は、設計対象物である太陽光発電設備の敷地の敷地データ、太陽光発電設備で使用される太陽光パネルの発電性能のデータを含むパネル仕様データ、敷地の位置における時系列の太陽の方向を示す太陽方向データ、及び敷地に対応する地域の時系列の気象データを含む入力データを取得するように構成された入力データ取得部と、複数の参照用の太陽光発電設備の敷地の敷地データ、敷地に設置された参照用太陽光パネルの設置角のデータを含むパネル配置データ、参照用太陽光パネルの発電性能のデータを含むパネル仕様データ、敷地の位置における時系列の太陽の方向を示す太陽方向データ、敷地に対応する地域の日射量のデータを含む時系列の気象データ、及び参照用の太陽光発電設備の発電量の実績に相当する時系列の発電データを含む参照用データの複数の構成データの組の関係を学習することにより作成された、発電データを除く参照用データに対応するデータから発電データに対応するデータを推定する学習済みモデルを備え、設置角が相異なる太陽光パネルの複数の暫定パネル配置データを作成し、暫定パネル配置データ毎に該暫定パネル配置データ及び入力データを学習済みモデルによって処理することにより時系列の発電量を算出し、時系列の発電量を積算することにより所定の期間の積算発電量を算出し、所定の期間の積算発電量が最大である暫定パネル配置データを抽出する算出部と、を有する太陽光発電設備の設計支援装置を提供する。【００１０】
上記の太陽光発電設備の設計支援装置は、入力データに含まれるパネル仕様データが設計対象物である太陽光発電設備で使用される太陽光パネルの寸法のデータを含み、参照用データに含まれるパネル配置データ及びパネル仕様データの少なくとも一方が、参照用太陽光パネルの寸法のデータを含み、参照用データに含まれるパネル配置データが参照用太陽光パネルの設置位置のデータを含み、算出部は、設置位置が相異なる太陽光パネルの複数の暫定パネル配置データを作成するように構成されていてもよい。【００１１】
さらに、上記の太陽光発電設備の設計支援装置は、入力データに含まれる敷地データが設計対象物である太陽光発電設備の敷地の地形データと太陽光を遮り敷地に影を落とす遮光要素の形状及び位置を示す遮光要素データを含み、参照用データに含まれる敷地データが参照用の太陽光発電設備の敷地の地形データと太陽光を遮り敷地に影を落とす遮光要素の形状及び位置を示す遮光要素データを含み、算出部は、地形データ及び遮光要素データを含む入力データを学習済みモデルによって処理するように構成されていてもよい。【００１２】
さらにまた、上記の太陽光発電設備の設計支援装置は、設計対象物である太陽光発電設備の敷地の画像データを取得するように構成された画像データ取得部と、画像データに基づいて設計対象物である太陽光発電設備の敷地の地形データ、及び遮光要素データの少なくとも一方に相当する入力データを作成するように構成された画像データ処理部と、をさらに有し、入力データ取得部は、画像データ処理部が作成したデータを取得するように構成されていてもよい。【００１３】
また上記の太陽光発電設備の設計支援装置は、入力データ取得部が、設計対象物である太陽光発電設備で使用される太陽光パネルの設置角のデータを含む設計対象パネル配置データも取得できるように構成され、算出部は、入力データ取得部が設計対象パネル配置データを取得した場合、設計対象パネル配置データに対応する設計対象物である太陽光発電設備の所定の期間の積算発電量を算出して出力部に出力するように構成されていてもよい。【００１４】
また本発明は、上記設計支援装置と同様の構成を有する太陽光発電設備の設計支援方法及び設計支援プログラムを提供する。さらに本発明は、上記学習済みモデルを作成するための設計支援用学習済みモデル作成装置を提供する。
【発明の効果】
【００１５】
本発明の学習済みモデルは、学習用データとして、実際に使用された既存の参照用太陽光パネルの設置角のデータを含む参照用データを学習して作成される。したがって、この学習済みモデルを備える設計支援装置は、設計対象物である太陽光発電設備で使用される太陽光パネルの好ましい設置角を高精度で算出することができる。例えば、太陽光パネルの上に堆積する雪や土埃等が発電量に及ぼす影響を算出結果に反映させることができる。【００１６】
また、入力データに含まれるパネル仕様データが設計対象物である太陽光発電設備で使用される太陽光パネルの寸法のデータも含み、参照用データに含まれるパネル配置データ及びパネル仕様データの少なくとも一方が、参照用太陽光パネルの寸法のデータも含み、参照用データに含まれるパネル配置データは参照用太陽光パネルの設置位置のデータも含み、算出部は、設置位置が相異なる太陽光パネルの複数の暫定パネル配置データを作成するように構成された場合、太陽光パネルが隣接する他の太陽光パネルに落とす影の影響も反映された、太陽光パネルの好ましい配置を算出することができる。【００１７】
さらに、入力データに含まれる敷地データが設計対象物である太陽光発電設備の敷地の地形データと太陽光を遮り敷地に影を落とす遮光要素の形状及び位置を示す遮光要素データを含み、参照用データに含まれる敷地データが参照用の太陽光発電設備の敷地の地形データと太陽光を遮り敷地に影を落とす遮光要素の形状及び位置を示す遮光要素データを含み、算出部は、地形データ及び遮光要素データを含む入力データを学習済みモデルによって処理するように構成された場合、起伏や山などの地形、及び建造物、樹木等の遮光要素の局所的な影が発電量に及ぼす複雑な影響も算出結果に高精度で反映させることができる。【００１８】
また、設計支援装置が画像データ取得部と、画像データ処理部と、をさらに有し、入力データ取得部は、画像データ処理が作成した地形データ、及び／または遮光要素データを取得するように構成された場合、高精度な地形データ、及び／または遮光要素データを容易に取得することができる。
【図面の簡単な説明】
【００１９】
【図１】図１は本発明の第１実施形態に係る太陽光発電設備の設計支援用学習済みモデル作成装置の構成を模式的に示すブロック図である。
【図２】図２は同学習済みモデル作成装置の学習機能部の構成を模式的に示すブロック図である。
【図３】図３は第１実施形態に係る太陽光発電設備の設計支援装置の構成を模式的に示すブロック図である。
【図４】図４は上記設計支援用学習済みモデル作成装置を用いた学習済みモデルの作成方法を示すフローチャートである。
【図５】図５は上記設計支援装置を用いた太陽光発電設備の設計支援方法を示すフローチャートである。
【図６】図６は本発明の第２実施形態に係る太陽光発電設備の設計支援装置の構成を模式的に示すブロック図である。
【図７】図７は本発明の第３実施形態に係る太陽光発電設備の設計支援用学習済みモデル作成装置の構成を模式的に示すブロック図である。
【図８】図８は第３実施形態に係る太陽光発電設備の設計支援装置の構成を模式的に示すブロック図である。
【図９】図９は上記設計支援用学習済みモデル作成装置を用いた学習済みモデルの作成方法を示すフローチャートである。
【図１０】図１０は上記設計支援装置を用いた太陽光発電設備の設計支援方法を示すフローチャートである。
【発明を実施するための形態】
【００２０】
図１は、本発明の第１実施形態に係る太陽光発電設備の設計支援用学習済みモデル作成装置１０を示す。学習済みモデル作成装置１０は、複数の参照用の太陽光発電設備１２Ａ、１２Ｂ、１２Ｃの敷地１４Ａ、１４Ｂ、１４Ｃの敷地データ１６Ａ、１６Ｂ、１６Ｃ、敷地１４Ａ、１４Ｂ、１４Ｃに設置された参照用太陽光パネル２０Ａ、２０Ｂ、２０Ｃの設置角のデータを含むパネル配置データ２２Ａ、２２Ｂ、２２Ｃ、参照用太陽光パネル２０Ａ、２０Ｂ、２０Ｃの発電性能のデータを含むパネル仕様データ２４Ａ、２４Ｂ、２４Ｃ、敷地１４Ａ、１４Ｂ、１４Ｃの位置における時系列の太陽の方向を示す太陽方向データ２６Ａ、２６Ｂ、２６Ｃ、敷地１４Ａ、１４Ｂ、１４Ｃに対応する地域の時系列の気象データ３２Ａ、３２Ｂ、３２Ｃ、及び参照用の太陽光発電設備１２Ａ、１２Ｂ、１２Ｃの発電量の実績に相当する時系列の発電データ３４Ａ、３４Ｂ、３４Ｃを含む参照用データ３６を取得するように構成された参照用データ取得部４０と、参照用データ３６の複数の構成データの組の関係を学習することにより、発電データを除く参照用データ３６に対応するデータから時系列の発電量に相当するデータを推定する学習済みモデル４２を作成するように構成された学習機能部４４と、を有している。
【００２１】
学習済みモデル作成装置１０はコンピュータまたはコンピュータシステムである。学習済みモデル作成装置１０は、コンピュータまたはコンピュータシステムを、参照用データ取得部４０、及び学習機能部４４として機能させるための学習用プログラムを備えている。また、学習済みモデル作成装置１０は、学習用データ３８を入力するための入力部４５を備えている。１つのコンピュータが、入力部４５、参照用データ取得部４０、学習機能部４４を備えていてもよい。また、これらの一部または全部が、ネットワークで接続された異なるコンピュータに備えられていてもよい。
【００２２】
図２は、学習済みモデル作成装置１０の学習機能部４４の構成を示す。学習機能部４４は、ニューラルネットワークで構成されており、入力層４４Ａと、中間層（隠れ層）４４Ｂと、出力層４４Ｃと、を有している。入力層４４Ａには発電データを除く参照用データ３６が入力される。出力層４４Ｃには発電データに対応するデータが出力される。ニューラルネットワークはノードとシナプスで構成されている。出力層４４Ｃに出力される発電データ（または発電データに対応するデータ）が、参照用データ３６に含まれる実際の発電データ（または発電データに対応するデータ）に近づくようにシナプスの重みが調整される機械学習が行われ、学習済みモデル４２が作成される。機械学習はＴｅｎｓｏｒＦｌｏｗ（登録商標）、ＣＨＡＩＮＥＲ（登録商標）、Ｃａｆｆｅ等のソフトウェアにより実行できる。
【００２３】
参照用の太陽光発電設備１２Ａ、１２Ｂ、１２Ｃは、実際に使用されている既存の発電設備または過去に実際に使用された発電設備である。なお、第1実施形態では便宜上、参照用の太陽光発電設備の数が３つである例が示されているが、参照用の太陽光発電設備の数は、できるだけ多いことが好ましい。敷地データ１６Ａ、１６Ｂ、１６Ｃは、敷地１４Ａ、１４Ｂ、１４Ｃの位置データ、形状データ、地形データ、太陽光を遮り敷地１４Ａ、１４Ｂ、１４Ｃに影を落とす遮光要素２８Ａ、２８Ｂ、２８Ｃの形状及び位置を示す遮光要素データを含む。位置データは、例えば敷地１４の緯度及び経度である。形状データは敷地１４Ａ、１４Ｂ、１４Ｃの境界の形状のデータである。地形データは、敷地１４Ａ、１４Ｂ、１４Ｃ及びその周辺の地形の３次元データである。遮光要素データは、敷地１４Ａ、１４Ｂ、１４Ｃ内、及びその周辺の建造物、樹木、山等の起伏、電柱等の３次元データである。なお、地形データと遮光要素データは、共通の３次元データの一部と他の一部であってもよい。パネル配置データ２２Ａ、２２Ｂ、２２Ｃは、実際に使用されている、あるいは過去に実際に使用された参照用太陽光パネル２０Ａ、２０Ｂ、２０Ｃの１枚毎の設置角（傾斜角及び方位角）、設置位置（例えば敷地１４Ａ、１４Ｂ、１４Ｃの所定の基準位置が基準点であるＸＹＺ座標における位置）、横寸法、縦寸法等のデータである。パネル仕様データ２４Ａ、２４Ｂ、２４Ｃは、参照用太陽光パネル２０Ａ、２０Ｂ、２０Ｃの変換効率、定格出力、横寸法、縦寸法等のデータである。なお、参照用データ３６は、直流／交流変換器（インバータ）の変換効率のデータも含んでいてもよい。
【００２４】
地形データ、遮光要素データ、パネル配置データ２２Ａ、２２Ｂ、２２Ｃは、例えば、ドローン４６による空中からの撮影で得られた画像データに基づいて作成される。具体的には、画像中の目的の点の位置は以下のように特定することができる。まずドローン４６が飛行しながら目的の点を含む連続画像を撮影する。各画像からドローン４６の位置に対する目的の点の方向を特定できる。複数の画像について、ドローン４６の位置に対する目的の点の方向を特定することで目的の点の位置を特定できる。なお、レーザ照射によりドローン４６の位置に対する目的の点の距離を求めることもできる。この場合、１つの画像からでも目的の点の位置を特定できる。ドローン４６の位置及びドローン４６のカメラの方向はＲＴＫ等のＧＮＳＳにより特定することができる。参照用太陽光パネル２０Ａ、２０Ｂ、２０Ｃの４隅の位置を特定することにより、参照用太陽光パネル２０Ａ、２０Ｂ、２０Ｃの方位角、傾斜角、設置位置を特定できる。また、参照用太陽光パネル２０Ａ、２０Ｂ、２０Ｃの横寸法及び縦寸法を特定することもできる。
【００２５】
気象データ３２Ａ、３２Ｂ、３２Ｃは、日射量、気温、天気の状態（晴れ、曇り、雨、雪等）、積雪量等のデータであり、気象庁、ＮＥＤＯ（登録商標）等から提供されるデータを利用できる。気象データ３２Ａ、３２Ｂ、３２Ｃは、太陽光発電設備１２Ａ、１２Ｂ、１２Ｃの気象と気象が近い気象台で得られたデータが用いられる。例えば、太陽光発電設備１２Ａ、１２Ｂ、１２Ｃに地理的に近い気象台のデータである。発電データ３４Ａ、３４Ｂ、３４Ｃは、参照用太陽光パネル２０Ａ、２０Ｂ、２０Ｃの１枚毎の発電量の時系列データである。例えば、発電データ３４Ａ、３４Ｂ、３４Ｃは、一定時間毎（例えば３分毎）のデータである。なお、発電データ３４Ａ、３４Ｂ、３４Ｃは、共通の接続箱、集電箱、または直流／交流変換器に接続された複数の参照用太陽光パネル２０Ａ、２０Ｂ、２０Ｃの組毎の発電量の時系列データであってもよい。
【００２６】
参照用データ３６に含まれる各データは学習機能部４４による機械学習に適したデータに変換されたものである。例えば、発電データ３４Ａ、３４Ｂ、３４Ｃは、参照用太陽光パネル２０Ａ、２０Ｂ、２０Ｃの１枚毎の設計上の最大発電量に対する比率を示すスコア値である。データは、例えば以下のように変換される。まずデータクレンジングが行われる。具体的には、不要なデータの除去、ノイズの除去、学習対象ではない値の除去等が行われる。次に、各データが要素に分けられて１次元配列にされる。最後に全体の並べ方が調整され、１次元配列にされる。この１次元配列の各要素が図２に示される入力層４４Ａの各要素に相当する。なお、変換されなくても参照用データ３６に含まれる各データが学習機能部４４による機械学習に適したデータである場合、データ変換は不要である。この場合、発電データ３４Ａ、３４Ｂ、３４Ｃは、スコア値ではなく実際の発電量のデータである。
【００２７】
図３は第１実施形態に係る太陽光発電設備の設計支援装置５０を示す。設計支援装置５０は、設計対象物である太陽光発電設備５２の敷地５４の敷地データ５６、設計対象物である太陽光発電設備５２で使用される太陽光パネル６０の発電性能のデータを含むパネル仕様データ６２、敷地５４の位置における時系列の太陽の方向を示す太陽方向データ６４、敷地５４に対応する地域の時系列の気象データ７０、及び太陽光パネル６０の設置角の許容範囲を含むパネル配置要件データ７１を含む入力データ７２を取得するように構成された入力データ取得部７６と、学習済みモデル４２を備え、設置角が相異なる太陽光パネル６０の複数の暫定パネル配置データを作成し、暫定パネル配置データ毎に該暫定パネル配置データ及び入力データを学習済みモデル４２によって処理することにより時系列の発電量を算出し、時系列の発電量を積算することにより所定の期間の積算発電量を算出（推論）し、所定の期間の積算発電量が最大である暫定パネル配置データを抽出する算出部７８と、を有している。
【００２８】
太陽光発電設備の設計支援装置５０もコンピュータまたはコンピュータシステムである。設計支援装置５０は、コンピュータまたはコンピュータシステムを入力データ取得部７６、及び算出部７８として機能させるための太陽光発電設備の設計支援プログラムを備えている。また、設計支援装置５０は、入力データ７２を入力するための入力部７３、算出結果を出力するための出力部７５を備えている。１つのコンピュータが、入力部７３、入力データ取得部７６、算出部７８、及び出力部７５を備えていてもよい。また、これらの一部または全部が、ネットワークで接続された異なるコンピュータに備えられていてもよい。
【００２９】
設計対象物である太陽光発電設備５２は、例えば、これから新たに建設される予定の発電設備である。敷地データ５６は、敷地５４の位置データ、形状データ、敷地５４の地形データ、太陽光を遮り敷地５４に影を落とす遮光要素６６の形状及び位置を示す遮光要素データを含む。位置データは、例えば敷地５４の緯度及び経度である。形状データは敷地５４の境界の形状のデータである。地形データは、敷地５４及びその周辺の地形の３次元データである。遮光要素データは、敷地５４内、及びその周辺の建造物、樹木、山等の起伏、電柱等の３次元データである。敷地データ５６に含まれる地形データ及び遮光要素データも、例えば、ドローン４６による空中からの撮影で得られた画像データに基づいて作成される。また、地形データは造成後の地形が反映されたデータであってもよい。また、遮光要素データは、敷地５４に設置される予定の電柱等の３次元データも含んでいてもよい。地形データと遮光要素データは、共通の３次元データの一部と他の一部であってもよい。パネル仕様データ６２は、太陽光発電設備５２で使用される予定の太陽光パネル６０の変換効率、定格出力、横寸法、縦寸法等のデータである。なお、入力データ７２は、太陽光発電設備５２で使用される予定の直流／交流変換器の変換効率のデータも含んでいてもよい。気象データ７０は、気象データ３２Ａ、３２Ｂ、３２Ｃと同様に入手されるものである。パネル配置要件データ７１の太陽光パネル６０の設置角の許容範囲は、太陽光パネル６０の方位角、及び傾斜角の許容範囲である。方位角の許容範囲は例えば真南を中心とする東側及び西側への角度の範囲である。傾斜角の許容範囲は例えば５〜４０度（仰角８５〜５０度）である。また、パネル配置要件データ７１は、太陽光パネル２０の地面からの設置高さの許容範囲を含む。高さの許容範囲は、架台等の取付具や敷地５４の地域の積雪量等に応じて適宜選択される。また、パネル配置要件データ７１は、隣り合う太陽光パネル６０の間の所定の隙間、または隙間の許容範囲を含んでいてもよい。所定の隙間、または隙間の許容範囲は、太陽光パネル６０が隣の他の太陽光パネル６０に落とす影等を考慮して適宜選択される。入力データ７２に含まれる各データは、参照用データ３６に含まれるデータと同様に学習済みモデル４２による処理に適したデータに変換されたものである。なお、変換されなくても入力データ７２に含まれる各データが学習済みモデル４２による処理に適したデータである場合、データ変換は不要である。
【００３０】
算出部７８は、設置角が相異なる太陽光パネル６０の複数の暫定パネル配置データを作成するように構成された暫定パネル配置データ作成部７８Ａと、暫定パネル配置データ毎に該暫定パネル配置データ及び入力データ７２を学習済みモデル４２によって処理することにより時系列の発電量を算出し、時系列の発電量を積算することにより所定の期間の積算発電量を算出する発電量算出部７８Ｂと、所定の期間の発電量が最大である暫定パネル配置データを抽出する抽出部７８Ｃと、を有している。暫定パネル配置データ作成部７８Ａは、敷地５４に配置される複数の太陽光パネル６０の設置角（方位角及び傾斜角）、及び設置位置（例えば敷地５４内の所定の位置を基準とするＸＹＺ座標における位置）を特定した暫定パネル配置データを作成する。例えば、設置角の許容範囲内で所定の間隔で複数の設置角が選択される。また、ＸＹ方向（水平方向）の設置位置は、例えば、敷地５４の範囲内（形状データの範囲内）に太陽光パネル６０ができるだけ多く配置されるように特定される。また、太陽光パネル６０が隣の他の太陽光パネル６０に落とす影を考慮し、太陽光パネル６０が所定の隙間をあけて設置されてもよい。隙間の許容範囲内で所定の間隔で複数の隙間が選択されてもよい。また、Ｚ方向（上下方向）の設置位置は、例えば、太陽光パネル６０の地面からの設置高さの許容範囲内で選択される。設置高さの許容範囲内で所定の間隔で複数のＺ方向の設置位置が選択されてもよい。このように設置角、及び／または設置位置が異なる複数の暫定パネル配置データが作成される。
【００３１】
発電量算出部７８Ｂは、暫定パネル配置データ毎に、所定の期間の積算発電量を算出する。所定の期間は、例えば、１年である。また、例えば太陽光パネル６０の設置角が定期的（６月毎、３月毎、１月毎等）に変更される場合、所定の期間は６月（例えば、４〜９月、１０〜３月）、３月（例えば、１〜３月、４〜６月、７〜９月、１０〜１２月）、または１月でもよい。この場合、オペレータ等が積算発電量を算出するための所定の期間を入力部７３に入力すればよい。抽出部７８Ｃは、このような所定の期間の積算発電量が最大である暫定パネル配置データを抽出する。積算発電量が最大である暫定パネル配置データを抽出するためには、多数の暫定パネル配置データを作成することが好ましい。多数の暫定パネル配置データから発電量が最大である暫定パネル配置データを抽出する手法としては、力まかせ探索（しらみつぶし探索）、山登り法、焼きなまし法（シミュレーティッド・アニーリング）等を用いることができる。暫定パネル配置データの数、計算機の能力等に応じていずれかの方法を適宜選択すればよい。
【００３２】
次に、設計支援用学習済みモデル作成装置１０を用いた学習済みモデル４２の作成方法について説明する（図４参照）。まず、参照用の太陽光発電設備１２Ａ、１２Ｂ、１２Ｃに関連する参照用データ３６が入力部４５によって設計支援用学習済みモデル作成装置１０に入力され、参照用データ取得部４０が、参照用データ３６を取得する（Ｓ１０２：参照用データ取得ステップ）。参照用データ３６に含まれる各データは学習機能部４４による機械学習に適したデータに予め変換される。なお、変換されなくても参照用データ３６が学習機能部４４による機械学習に適したデータである場合、変換は不要である。敷地データ１６Ａ、１６Ｂ、１６Ｃに含まれる地形データ、遮光要素データ、パネル配置データ２２Ａ、２２Ｂ、２２Ｃは、上記のように例えば、ドローン４６による空中からの撮影で得られた画像データに基づいて作成される。なお、パネル配置データ２２Ａ、２２Ｂ、２２Ｃは、人手により計測されたデータ、設計値のデータまたは施工記録に基づくデータでもよい。次に、学習機能部４４が、参照用データ３６を機械学習することにより、シナプスの重みを調整して学習済みモデル４２を作成する（Ｓ１０４：学習ステップ）。このようにして得られた学習済みモデル４２により設計支援装置５０が作成される。
【００３３】
次に、設計支援装置５０を用いた太陽光発電設備の設計支援方法について説明する（図５参照）。まず、入力データ７２が入力部７３によって設計支援装置５０に入力され、入力データ取得部７６が入力データ７２を取得する（Ｓ２０２：入力データ取得ステップ）。入力データ７２に含まれる各データは学習済みモデル４２による処理に適したデータに予め変換される。なお、変換されなくても入力データ７２に含まれる各データが学習済みモデル４２による処理に適したデータである場合、変換は不要である。敷地データ５６に含まれる地形データ及び遮光要素データも、例えば、ドローン４６による空中からの撮影で得られた画像データに基づいて作成される。次に、算出部７８が、設置角が相異なる太陽光パネル６０の複数の暫定パネル配置データを作成し、暫定パネル配置データ毎に暫定パネル配置データ及び入力データ７２を学習済みモデル４２によって処理することにより時系列の発電量を算出し、時系列の発電量を積算することにより所定の期間の積算発電量を算出（推論）し、所定の期間の積算発電量が最大である暫定パネル配置データを抽出する（Ｓ２０４：算出ステップ）。具体的には、暫定パネル配置データ作成部７８Ａが、設置角が相異なる太陽光パネル６０の複数の暫定パネル配置データを作成する（暫定パネル配置データ作成ステップ）。暫定パネル配置データ作成部７８Ａは、設置位置が相異なる太陽光パネル６０の複数の暫定パネル配置データも作成する。例えば、設置角の許容範囲内で所定の間隔で複数の設置角が選択される。また、ＸＹ方向（水平方向）の設置位置は、例えば、敷地５４の範囲内（形状データの範囲内）にできるだけ多く配置されるように特定される。また、太陽光パネル６０が所定の隙間をあけて設置されてもよい。隙間の許容範囲内で所定の間隔で複数の隙間が選択されてもよい。また、Ｚ方向（上下方向）の設置位置は、太陽光パネル６０の地面からの設置高さの許容範囲内で選択される。設置高さの許容範囲内で所定の間隔で複数のＺ方向の設置位置が選択されてもよい。次に、発電量算出部７８Ｂが、暫定パネル配置データ毎に暫定パネル配置データ及び入力データ７２を学習済みモデル４２で処理することにより、時系列の発電量を算出し、時系列の発電量を積算することにより所定の期間の積算発電量を算出する（発電量算出ステップ）。なお、発電データ３４Ａ、３４Ｂ、３４Ｃが参照用太陽光パネル２０Ａ、２０Ｂ、２０Ｃの１枚毎の設計上の最大積算発電量に対する比率を示すスコア値である場合、発電量算出部７８Ｂが算出する積算発電量も太陽光パネル６０の１枚毎の設計上の最大積算発電量に対する比率を示すスコア値である。次に、抽出部７８Ｃが、所定の期間の積算発電量が最大である暫定パネル配置データを抽出する（抽出ステップ）。力まかせ探索（しらみつぶし探索）の場合、暫定パネル配置データ作成ステップ、発電量算出ステップ、及び抽出ステップがこの順序で１回実行される。一方、山登り法、焼きなまし法（シミュレーティッド・アニーリング）の場合、暫定パネル配置データ作成ステップ、発電量算出ステップ、及び抽出ステップが複数回繰り返される。算出部７８は、抽出部７８Ｃが抽出した暫定パネル配置データを出力部７５に出力する。
【００３４】
学習済みモデル４２は、実際に使用されている既存の（あるいは過去に実際に使用された）参照用太陽光パネル２０Ａ、２０Ｂ、２０Ｃの設置角のデータを含む参照用データ３６を学習して作成されている。したがって、設計支援装置５０は、設計対象物である太陽光発電設備５２で使用される太陽光パネル６０の好ましい設置角を高精度で算出（好ましい設置角の暫定パネル配置データを抽出）することができる。例えば、太陽光パネル６０の上に堆積する雪や埃等が発電量に及ぼす影響を結果に反映させることができる。
【００３５】
また、入力データ７２に含まれるパネル仕様データ６２が太陽光パネル６０の寸法のデータも含み、参照用データ３６に含まれるパネル配置データ２２Ａ、２２Ｂ、２２Ｃ及びパネル仕様データ２４Ａ、２４Ｂ、２４Ｃが、参照用太陽光パネル２０Ａ、２０Ｂ、２０Ｃの寸法のデータも含み、パネル配置データ２２Ａ、２２Ｂ、２２Ｃは参照用太陽光パネル２０Ａ、２０Ｂ、２０Ｃの設置位置のデータも含み、算出部７８（パネルモデル作成部７８Ａ）は、設置位置が相異なる太陽光パネルの複数の暫定パネル配置データを作成するように構成されている。したがって、太陽光パネル６０が隣接する他の太陽光パネル６０に落とす影が発電量に及ぼす影響を算出結果に高精度で反映させることができる。さらに、入力データ７２に含まれる敷地データ５６が設計対象物である太陽光発電設備５２の敷地５４の地形データと太陽光を遮り敷地に影を落とす遮光要素の形状及び位置を示す遮光要素データを含み、参照用データ３６に含まれる敷地データ１６Ａ、１６Ｂ、１６Ｃが参照用の太陽光発電設備１２Ａ、１２Ｂ、１２Ｃの敷地１４Ａ、１４Ｂ、１４Ｃの地形データと太陽光を遮り敷地に影を落とす遮光要素の形状及び位置を示す遮光要素データを含み、算出部７８は地形データ及び遮光要素データを含む入力データ７２を学習済みモデル４２によって処理するように構成されている。したがって、起伏、山等の地形、建造物、樹木等の遮光要素の局所的な影が発電量に及ぼす複雑な影響も算出結果に高精度で反映させることができる。
【００３６】
また、地形データ、遮光要素データ、パネル配置データ２２Ａ、２２Ｂ、２２Ｃが、ドローン４６による空中からの撮影で得られた画像データに基づいて作成される場合、高精度な地形データ、遮光要素データ、パネル配置データが得られる。これらの高精度なデータも、発電量の高精度な算出に寄与する。例えば、参照用太陽光パネル２０Ａ、２０Ｂ、２０Ｃのパネル配置データ２２Ａ、２２Ｂ、２２Ｃが設計値のデータである場合、実際の参照用太陽光パネル２０Ａ、２０Ｂ、２０Ｃの配置とずれていることがあるが、画像データからパネル配置データ２２Ａ、２２Ｂ、２２Ｃが作成されることで、このようなずれの影響を抑制できる。
【００３７】
なお、設計対象物である太陽光発電設備５２は既存の発電設備でもよい。例えば、既存の発電設備の発電量を増大するように、既存の太陽光パネルの配置を変更する設計のためにも設計支援装置５０は利用可能である。
【００３８】
次に、本発明の第２実施形態について説明する。第１実施形態では、算出ステップ（Ｓ２０４）（抽出ステップ）において、所定の期間の積算発電量が最大である暫定パネル配置データが抽出される。一方、図６に示されるように、第２実施形態では、入力データ取得部７６は、設計対象物である太陽光発電設備５２で使用される太陽光パネル６０の設置角及び設置位置のデータを含む設計対象パネル配置データ８０も取得できるように構成されている。算出部７８（発電量算出部７８Ｂ）は、入力データ取得部７６が設計対象パネル配置データ８０を取得した場合、設計対象パネル配置データ８０に対応する太陽光発電設備５２の積算発電量を算出し出力部７５に出力するように構成されている。出力される積算発電量は、例えば太陽光発電設備５２の設計上の最大積算発電量に対する比率であるスコア値である。また、積算発電量そのものが出力されてもよい。他の構成については第１実施形態と同じであるので同じ構成については図１〜３と同じ符号を付することとして説明を省略する。
【００３９】
第１実施形態で抽出される暫定パネル配置データに対し、太陽光パネル６０の配置を変更したい場合もある。例えば、風による荷重を抑制するために、太陽光パネル６０の傾斜角を小さくしたい場合がある。また、太陽光パネル６０の上に雪や土埃等が堆積しにくいように、太陽光パネル６０の傾斜角を大きくしたい場合がある。第２実施形態によれば、このような場合における太陽光パネル６０の配置の変更が積算発電量に及ぼす影響を高精度で把握することができる。なお、太陽光パネル６０の設置角を入力して太陽光発電設備５２の所定の期間の積算発電量を算出する機能に対するニーズが高く、所定の期間の積算発電量が最大である暫定パネル配置データを抽出する機能に対するニーズが低いような場合、算出部７８は、暫定パネル配置データ作成部７８Ａ、及び／または抽出部７８Ｃを有していなくてもよい。
【００４０】
次に、本発明の第３実施形態について説明する。図７に示されるように、第３実施形態の学習済みモデル作成装置１００は、参照用の太陽光発電設備１２Ａ、１２Ｂ、１２Ｃの敷地１４Ａ、１４Ｂ、１４Ｃ及びその周辺の画像データ１０２Ａ、１０２Ｂ、１０２Ｃを取得するように構成された画像データ取得部１０４と、画像データ１０２Ａ、１０２Ｂ、１０２Ｃに基づいて参照用の太陽光発電設備１２Ａ、１２Ｂ、１２Ｃの地形データ１８Ａ、１８Ｂ、１８Ｃ、遮光要素データ３０Ａ、３０Ｂ、３０Ｃ、及びパネル配置データ２２Ａ、２２Ｂ、２２Ｃに相当する参照用データを作成するように構成された画像データ処理部１０６と、を更に有し、参照用データ取得部４０は、画像データ処理部１０６が作成した参照用データを取得するように構成されている。
【００４１】
また、図８に示されるように、第３実施形態の設計支援装置１１０は、設計対象物である太陽光発電設備５２の敷地５４及びその周辺の画像データ１１２を取得するように構成された画像データ取得部１１４と、画像データ１１２に基づいて太陽光発電設備５２の敷地５４の地形データ５８、及び遮光要素データ６８に相当する入力データを作成するように構成された画像データ処理部１１６と、をさらに有し、入力データ取得部７６は、画像データ処理部１１６が作成した入力データを取得するように構成されている。他の構成については第１または第２実施形態と同じであるので同じ構成については図１〜３及び６と同じ符号を付することとして説明を省略する。
【００４２】
次に、設計支援用学習済みモデル作成装置１００を用いた学習済みモデル４２の作成方法について説明する（図９参照）。まず、画像データ取得部１０４が、ドローン４６による空中からの撮影等により得られた画像データ１０２Ａ、１０２Ｂ、１０２Ｃを取得する（Ｓ３０２：画像データ取得ステップ）。次に、画像データ処理部１０６が、画像データ１０２Ａ、１０２Ｂ、１０２Ｃに基づいて参照用の太陽光発電設備１２Ａ、１２Ｂ、１２Ｃの地形データ１８Ａ、１８Ｂ、１８Ｃ、パネル配置データ２２Ａ、２２Ｂ、２２Ｃ及び遮光要素データ３０Ａ、３０Ｂ、３０Ｃに相当する参照用データを作成する（Ｓ３０４：画像処理ステップ）。次に、参照用データ取得部４０が、画像データ処理部１０６が作成した参照用データを取得する（Ｓ３０６：参照用データ取得ステップ）。なお、参照用データ取得部４０は、参照用データ取得ステップＳ３０６において、地形データ１８Ａ、１８Ｂ、１８Ｃ、遮光要素データ３０Ａ、３０Ｂ、３０Ｃ、及びパネル配置データ２２Ａ、２２Ｂ、２２Ｃ以外の参照用データ３６を、第１実施形態の参照用データ取得ステップＳ１０２と同様に取得する。次に、第１実施形態の学習ステップＳ１０４と同様に学習機能部４４が、参照用データ３６を機械学習することにより、シナプスの重みを調整して学習済みモデル４２を作成する（Ｓ３０８：学習ステップ）。
【００４３】
次に、設計支援装置１１０を用いた太陽光発電設備の設計支援方法について説明する（図１０参照）。まず、画像データ取得部１１４が、ドローン４６による空中からの撮影等により得られた画像データ１１２を取得する（Ｓ４０２：画像データ取得ステップ）。次に、画像データ処理部１１６が、画像データ１１２に基づいて太陽光発電設備５２の敷地５４の地形データ５８、及び遮光要素データ６８に相当する入力データを作成する（Ｓ４０４：画像処理ステップ）。次に、入力データ取得部７６が、画像データ処理部１１６が作成した入力データを取得する（Ｓ４０６：入力データ取得ステップ）。なお、入力データ取得部７６は、入力データ取得ステップＳ４０６において、地形データ５８、遮光要素６８以外の入力データ７２については、第１実施形態の入力データ取得ステップＳ２０２と同様に取得する。次に、第１実施形態の算出ステップＳ２０４と同様に算出ステップＳ４０８を実行し、所定の期間の積算発電量が最大である暫定パネル配置データを抽出する。または、第２実施形態のように入力データ取得部７６が設計対象パネル配置データ８０を取得した場合、算出部７８（発電量算出部７８Ｂ）は、設計対象パネル配置データ８０に対応する太陽光発電設備５２の積算発電量を算出し出力部７５に出力する。第３実施形態によれば、高精度な地形データ、遮光要素データ、パネル配置データを容易に利用することができる
【００４４】
なお、第１〜第３実施形態において、パネル配置データ２２Ａ、２２Ｂ、２２Ｃは、参照用太陽光パネル２０Ａ、２０Ｂ、２０Ｃの設置角のデータに加え設置位置のデータも含んでいるが、例えば、太陽光パネル６０が隣接する他の太陽光パネル６０に落とす影の影響や、起伏、山等の地形、建造物、樹木等の遮光要素の局所的な影が発電量に及ぼす影響が無視できるような場合、パネル配置データ２２Ａ、２２Ｂ、２２Ｃは、参照用太陽光パネル２０Ａ、２０Ｂ、２０Ｃの設置位置のデータを含んでいなくてもよい。このような場合、第２実施形態では、設計対象パネル配置データ８０も、太陽光パネル６０の設置位置のデータを含んでいなくてもよい。また、第１及び第３実施形態では、設計支援装置５０の算出部７８（暫定パネル配置データ作成部７８Ａ）は、設置位置が相異なる太陽光パネル６０の複数の暫定パネル配置データは作成しない構成でもよい。
【００４５】
また、第１〜第３実施形態において、パネル配置データ２２Ａ、２２Ｂ、２２Ｃ、及びパネル仕様データ２４Ａ、２４Ｂ、２４Ｃの両方が参照用太陽光パネル２０Ａ、２０Ｂ、２０Ｃの横寸法及び縦寸法のデータを含んでいるが、いずれか一方は参照用太陽光パネル２０Ａ、２０Ｂ、２０Ｃの横寸法及び縦寸法のデータを含んでいなくてもよい。また、例えば、太陽光パネル６０が隣接する他の太陽光パネル６０に落とす影の影響が無視できるような場合、両方が参照用太陽光パネル２０Ａ、２０Ｂ、２０Ｃの横寸法及び縦寸法のデータを含んでいなくてもよい。
【産業上の利用可能性】
【００４６】
本発明は、太陽光発電設備の設計に利用できる。
【符号の説明】
【００４７】
１０、１００    太陽光発電設備の設計支援用学習済みモデル作成装置
１２Ａ、１２Ｂ、１２Ｃ、５２    太陽光発電設備
１４Ａ、１４Ｂ、１４Ｃ、５４    敷地
１６Ａ、１６Ｂ、１６Ｃ、５６    敷地データ
１８Ａ、１８Ｂ、１８Ｃ、５８    地形データ
２０Ａ、２０Ｂ、２０Ｃ    参照用太陽光パネル
２２Ａ、２２Ｂ、２２Ｃ    パネル配置データ
２４Ａ、２４Ｂ、２４Ｃ、６２    パネル仕様データ
２６Ａ、２６Ｂ、２６Ｃ、６４    太陽方向データ
２８Ａ、２８Ｂ、２８Ｃ、６６    遮光要素
３０Ａ、３０Ｂ、３０Ｃ、６８    遮光要素データ
３２Ａ、３２Ｂ、３２Ｃ、７０    気象データ
３４Ａ、３４Ｂ、３４Ｃ    発電データ
３６    参照用データ
４０    参照用データ取得部
４２    学習済みモデル
４４    学習機能部
４５    入力部
４６    ドローン
５０、１１０    太陽光発電設備の設計支援装置
６０    太陽光パネル
７１    パネル配置要件データ
７２    入力データ
７３    入力部
７５    出力部
７６    入力データ取得部
７８    算出部
７８Ａ    暫定パネル配置データ作成部
７８Ｂ    発電量算出部
７８Ｃ    抽出部
８０    設計対象パネル配置データ
１０２Ａ、１０２Ｂ、１０２Ｃ    画像データ
１０４、１１４    画像データ取得部
１０６、１１６    画像データ処理部
Ｓ１０２、Ｓ３０６    参照用データ取得ステップ
Ｓ１０４、Ｓ３０８    学習ステップ
Ｓ２０２、Ｓ４０６    入力データ取得ステップ
Ｓ２０４、Ｓ４０８    算出ステップ
Ｓ３０２、Ｓ４０２    画像データ取得ステップ
Ｓ３０４、Ｓ４０４    画像処理ステップ
【図１】
2019155594.tif 000003
【図２】
2019155594.tif 000004
【図３】
2019155594.tif 000005
【図４】
2019155594.tif 000006
【図５】
2019155594.tif 000007
【図６】
2019155594.tif 000008
【図７】
2019155594.tif 000009
【図８】
2019155594.tif 000010
【図９】
2019155594.tif 000011
【図１０】
2019155594.tif 000012
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
設計対象物である太陽光発電設備の敷地の敷地データ、前記太陽光発電設備で使用される太陽光パネルの発電性能のデータを含むパネル仕様データ、前記敷地の位置における時系列の太陽の方向を示す太陽方向データ、及び前記敷地に対応する地域の時系列の気象データを含む入力データを取得するように構成された入力データ取得部と、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記参照用データに対応するデータから前記発電データに対応するデータを推定する学習済みモデルを備え、設置角が相異なる前記太陽光パネルの複数の暫定パネル配置データを作成し、前記暫定パネル配置データ毎に該暫定パネル配置データ及び前記入力データを前記学習済みモデルによって処理することにより時系列の発電量を算出し、前記時系列の発電量を積算することにより所定の期間の積算発電量を算出し、前記所定の期間の積算発電量が最大である前記暫定パネル配置データを抽出する算出部と、
を有し、
前記学習済みモデルは、前記複数の参照用の太陽光発電設備の参照用太陽光パネルの傾斜角のデータを含むパネル配置データを学習することにより作成されたものである太陽光発電設備の設計支援装置。
【請求項２】
前記入力データに含まれるパネル仕様データは前記設計対象物である太陽光発電設備で使用される太陽光パネルの寸法のデータを含み、
前記参照用データに含まれるパネル配置データ及びパネル仕様データの少なくとも一方は、前記参照用太陽光パネルの寸法のデータを含み、
前記参照用データに含まれるパネル配置データは前記参照用太陽光パネルの設置位置のデータを含み、
前記算出部は、設置位置が相異なる前記太陽光パネルの複数の暫定パネル配置データを作成するように構成され、
前記設計対象物である太陽光発電設備の敷地の敷地データは、前記敷地の形状データを含み、
前記各暫定パネル配置データは、前記敷地の形状データに対応して複数の太陽光パネルが配置されたものである請求項１に記載の太陽光発電設備の設計支援装置。
【請求項３】
前記入力データに含まれる敷地データは、前記設計対象物である太陽光発電設備の敷地の地形データと、太陽光を遮り前記敷地に影を落とす遮光要素の形状及び位置を示す遮光要素データを含み、
前記参照用データに含まれる敷地データは、前記参照用の太陽光発電設備の敷地の地形データと、太陽光を遮り前記敷地に影を落とす遮光要素の形状及び位置を示す遮光要素データを含み、
前記算出部は、前記地形データ及び前記遮光要素データを含む入力データを前記学習済みモデルによって処理する請求項２に記載の太陽光発電設備の設計支援装置。
【請求項４】
前記設計対象物である太陽光発電設備の敷地の画像データを取得するように構成された画像データ取得部と、
前記画像データに基づいて前記設計対象物である太陽光発電設備の敷地の前記地形データ、及び前記遮光要素データの少なくとも一方に相当する入力データを作成するように構成された画像データ処理部と、をさらに有し、
前記入力データ取得部は、前記画像データ処理部が作成した入力データを取得するように構成された請求項３に記載の太陽光発電設備の設計支援装置。
【請求項５】
前記入力データ取得部は、前記設計対象物である太陽光発電設備で使用される太陽光パネルの設置角のデータを含む設計対象パネル配置データも取得できるように構成され、
前記算出部は、前記入力データ取得部が前記設計対象パネル配置データを取得した場合、前記設計対象パネル配置データに対応する前記設計対象物である太陽光発電設備の所定の期間の積算発電量を算出して出力部に出力するように構成された請求項１に記載の太陽光発電設備の設計支援装置。
【請求項６】
設計対象物である太陽光発電設備の敷地の敷地データ、前記太陽光発電設備で使用される太陽光パネルの設置角のデータを含むパネル配置設計データ、前記太陽光パネルの発電性能のデータを含むパネル仕様データ、前記敷地の位置における時系列の太陽の方向を示す太陽方向データ、及び前記敷地に対応する地域の日射量のデータを含む時系列の気象データを含む入力データを取得するように構成された入力データ取得部と、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記参照用データに対応するデータから前記発電データに対応するデータを推定する学習済みモデルを備え、前記入力データを前記学習済みモデルによって処理することにより時系列の発電量を算出し、前記時系列の発電量を積算することにより所定の期間の積算発電量を算出して出力部に出力するように構成された算出部と、
を有し、
前記学習済みモデルは、前記複数の参照用の太陽光発電設備の参照用太陽光パネルの傾斜角のデータを含むパネル配置データを学習することにより作成されたものである太陽光発電設備の設計支援装置。
【請求項７】
入力データ取得部が、設計対象物である太陽光発電設備の敷地の敷地データ、前記太陽光発電設備で使用される太陽光パネルの発電性能のデータを含むパネル仕様データ、前記敷地の位置における時系列の太陽の方向を示す太陽方向データ、及び前記敷地に対応する地域の時系列の気象データを含む入力データを取得する入力データ取得ステップと、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記学習用データに対応するデータから前記発電データに対応するデータを推定する学習済みモデルを備える算出部が、設置角が相異なる前記太陽光パネルの複数の暫定パネル配置データを作成し、前記暫定パネル配置データ毎に該暫定パネル配置データ及び前記入力データを前記学習済みモデルによって処理することにより時系列の発電量に相当する値を算出し、前記時系列の発電量を積算することにより所定の期間の積算発電量に相当する値を算出し、前記所定の期間の積算発電量が最大である前記暫定パネル配置データを抽出する算出ステップと、
を有し、
前記学習済みモデルは、前記複数の参照用の太陽光発電設備の参照用太陽光パネルの傾斜角のデータを含むパネル配置データを学習することにより作成されたものである太陽光発電設備の設計支援方法。
【請求項８】
太陽光発電設備の設計支援装置を、
設計対象物である太陽光発電設備の敷地の敷地データ、前記太陽光発電設備で使用される太陽光パネルの発電性能のデータを含むパネル仕様データ、前記敷地の位置における時系列の太陽の方向を示す太陽方向データ、及び前記敷地に対応する地域の時系列の気象データを含む入力データを取得するように構成された入力データ取得部と、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記学習用データに対応するデータから前記発電データに対応するデータを推定する学習済みモデルを備え、設置角が相異なる前記太陽光パネルの複数の暫定パネル配置データを作成し、前記暫定パネル配置データ毎に該暫定パネル配置データ及び前記入力データを前記学習済みモデルによって処理することにより時系列の発電量を算出し、前記時系列の発電量を積算することにより所定の期間の積算発電量を算出し、前記所定の期間の積算発電量が最大である前記暫定パネル配置データを抽出する算出部、
として機能させるための太陽光発電設備の設計支援プログラムであって、
前記学習済みモデルは、前記複数の参照用の太陽光発電設備の参照用太陽光パネルの傾斜角のデータを含むパネル配置データを学習することにより作成されたものである太陽光発電設備の設計支援プログラム。
【請求項９】
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データを取得するように構成された参照用データ取得部と、
前記参照用データの複数の構成データの組の関係を学習することにより、前記発電データを除く前記参照用データに対応するデータから前記発電データに対応するデータを推定する学習済みモデルを作成するように構成された学習機能部と、
を有し、
前記参照用データ取得部は、前記複数の参照用の太陽光発電設備の参照用太陽光パネルの傾斜角のデータを含むパネル配置データを取得するように構成された太陽光発電設備の設計支援用学習済みモデル作成装置。
【請求項１０】
前記パネル配置データは前記参照用太陽光パネルの設置位置のデータも含み、
前記パネル配置データ及びパネル仕様データの少なくとも一方は、前記参照用太陽光パネルの寸法のデータも含む請求項９に記載の太陽光発電設備の設計支援用学習済みモデル作成装置。
【請求項１１】
前記敷地データは、前記参照用の太陽光発電設備の敷地の地形データと、太陽光を遮り前記敷地に影を落とす遮光要素の形状及び位置を示す遮光要素データを含む請求項１０に記載の太陽光発電設備の設計支援装置。
【請求項１２】
前記参照用の太陽光発電設備の敷地の画像データを取得するように構成された画像データ取得部と、
前記画像データに基づいて前記パネル配置データ、前記地形データ、及び前記遮光要素データの少なくとも１つのデータに相当する参照データを作成するように構成された画像データ処理部と、を更に有し、
前記参照用データ取得部は、前記画像データ処理部が作成した参照用データを取得するように構成された請求項１１に記載の太陽光発電設備の設計支援用学習済みモデル作成装置。
【手続補正書】
【提出日】令和1年12月30日(2019.12.30)
【手続補正１】
【補正対象書類名】特許請求の範囲
【補正対象項目名】全文
【補正方法】変更
【補正の内容】
【特許請求の範囲】
【請求項１】
設計対象物である太陽光発電設備の敷地の敷地データ、前記太陽光発電設備で使用される太陽光パネルの発電性能のデータを含むパネル仕様データ、前記敷地の位置における時系列の太陽の方向を示す太陽方向データ、及び前記敷地に対応する地域の時系列の気象データを含む入力データを取得するように構成された入力データ取得部と、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記参照用データに対応するデータから前記発電データに対応するデータを推定する学習済みモデルを備え、設置角が相異なる前記太陽光パネルの複数の暫定パネル配置データを作成し、前記暫定パネル配置データ毎に該暫定パネル配置データ及び前記入力データを前記学習済みモデルによって処理することにより時系列の発電量を算出し、前記時系列の発電量を積算することにより所定の期間の積算発電量を算出し、前記所定の期間の積算発電量が最大である前記暫定パネル配置データを抽出する算出部と、
を有し、
前記参照用の太陽光発電設備は、実際に使用されている既存の発電設備または過去に実際に使用された発電設備であり、
前記参照用データのパネル配置データは、前記参照用太陽光パネルの傾斜角及び方位角のデータを含み、
前記学習済みモデルは、前記複数の参照用の太陽光発電設備の発電量の実績に相当する時系列の発電データと、前記参照用太陽光パネルの傾斜角及び方位角のデータとの関係を学習することにより作成されたものであり、
前記算出部は、傾斜角及び方位角が相異なる前記太陽光パネルの複数の前記暫定パネル配置データを作成するように構成された太陽光発電設備の設計支援装置。
【請求項２】
前記入力データに含まれるパネル仕様データは前記設計対象物である太陽光発電設備で使用される太陽光パネルの寸法のデータを含み、
前記参照用データに含まれるパネル配置データ及びパネル仕様データの少なくとも一方は、前記参照用太陽光パネルの寸法のデータを含み、
前記参照用データに含まれるパネル配置データは前記参照用太陽光パネルの設置位置のデータを含み、
前記算出部は、設置位置が相異なる前記太陽光パネルの複数の暫定パネル配置データを作成するように構成され、
前記設計対象物である太陽光発電設備の敷地の敷地データは、前記敷地の形状データを含み、
前記各暫定パネル配置データは、前記敷地の形状データに対応して複数の太陽光パネルが配置されたものである請求項１に記載の太陽光発電設備の設計支援装置。
【請求項３】
前記入力データに含まれる敷地データは、前記設計対象物である太陽光発電設備の敷地の地形データと、太陽光を遮り前記敷地に影を落とす遮光要素の形状及び位置を示す遮光要素データを含み、
前記参照用データに含まれる敷地データは、前記参照用の太陽光発電設備の敷地の地形データと、太陽光を遮り前記敷地に影を落とす遮光要素の形状及び位置を示す遮光要素データを含み、
前記算出部は、前記地形データ及び前記遮光要素データを含む入力データを前記学習済みモデルによって処理する請求項２に記載の太陽光発電設備の設計支援装置。
【請求項４】
前記設計対象物である太陽光発電設備の敷地の画像データを取得するように構成された画像データ取得部と、
前記画像データに基づいて前記設計対象物である太陽光発電設備の敷地の前記地形データ、及び前記遮光要素データの少なくとも一方に相当する入力データを作成するように構成された画像データ処理部と、をさらに有し、
前記入力データ取得部は、前記画像データ処理部が作成した入力データを取得するように構成された請求項３に記載の太陽光発電設備の設計支援装置。
【請求項５】
前記入力データ取得部は、前記設計対象物である太陽光発電設備で使用される太陽光パネルの設置角のデータを含む設計対象パネル配置データも取得できるように構成され、
前記算出部は、前記入力データ取得部が前記設計対象パネル配置データを取得した場合、前記設計対象パネル配置データに対応する前記設計対象物である太陽光発電設備の所定の期間の積算発電量を算出して出力部に出力するように構成された請求項１に記載の太陽光発電設備の設計支援装置。
【請求項６】
入力データ取得部が、設計対象物である太陽光発電設備の敷地の敷地データ、前記太陽光発電設備で使用される太陽光パネルの発電性能のデータを含むパネル仕様データ、前記敷地の位置における時系列の太陽の方向を示す太陽方向データ、及び前記敷地に対応する地域の時系列の気象データを含む入力データを取得する入力データ取得ステップと、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記参照用データに対応するデータから前記発電データに対応するデータを推定する学習済みモデルを備える算出部が、設置角が相異なる前記太陽光パネルの複数の暫定パネル配置データを作成し、前記暫定パネル配置データ毎に該暫定パネル配置データ及び前記入力データを前記学習済みモデルによって処理することにより時系列の発電量に相当する値を算出し、前記時系列の発電量を積算することにより所定の期間の積算発電量に相当する値を算出し、前記所定の期間の積算発電量が最大である前記暫定パネル配置データを抽出する算出ステップと、
を有し、
前記参照用の太陽光発電設備は、実際に使用されている既存の発電設備または過去に実際に使用された発電設備であり、
前記参照用データのパネル配置データは、前記参照用太陽光パネルの傾斜角及び方位角のデータを含み、
前記学習済みモデルは、前記複数の参照用の太陽光発電設備の発電量の実績に相当する時系列の発電データと、前記参照用太陽光パネルの傾斜角及び方位角のデータとの関係を学習することにより作成されたものであり、
前記算出ステップにおいて、傾斜角及び方位角が相異なる前記太陽光パネルの複数の前記暫定パネル配置データを作成する太陽光発電設備の設計支援方法。
【請求項７】
太陽光発電設備の設計支援装置を、
設計対象物である太陽光発電設備の敷地の敷地データ、前記太陽光発電設備で使用される太陽光パネルの発電性能のデータを含むパネル仕様データ、前記敷地の位置における時系列の太陽の方向を示す太陽方向データ、及び前記敷地に対応する地域の時系列の気象データを含む入力データを取得するように構成された入力データ取得部と、
複数の参照用の太陽光発電設備の敷地の敷地データ、前記敷地に設置された参照用太陽光パネルの設置角のデータを含むパネル配置データ、前記参照用太陽光パネルの発電性能のデータを含むパネル仕様データ、前記敷地の位置における時系列の太陽の方向を示す太陽方向データ、前記敷地に対応する地域の時系列の気象データ、及び前記参照用の太陽光発電設備の発電量の実績に相当する時系列の発電データを含む参照用データの複数の構成データの組の関係を学習することにより作成された、前記発電データを除く前記参照用データに対応するデータから前記発電データに対応するデータを推定する学習済みモデルを備え、設置角が相異なる前記太陽光パネルの複数の暫定パネル配置データを作成し、前記暫定パネル配置データ毎に該暫定パネル配置データ及び前記入力データを前記学習済みモデルによって処理することにより時系列の発電量を算出し、前記時系列の発電量を積算することにより所定の期間の積算発電量を算出し、前記所定の期間の積算発電量が最大である前記暫定パネル配置データを抽出する算出部、
として機能させるための太陽光発電設備の設計支援プログラムであって、
前記参照用の太陽光発電設備は、実際に使用されている既存の発電設備または過去に実際に使用された発電設備であり、
前記参照用データのパネル配置データは、前記参照用太陽光パネルの傾斜角及び方位角のデータを含み、
前記学習済みモデルは、前記複数の参照用の太陽光発電設備の発電量の実績に相当する時系列の発電データと、前記参照用太陽光パネルの傾斜角及び方位角のデータとの関係を学習することにより作成されたものであり、
前記算出部は、傾斜角及び方位角が相異なる前記太陽光パネルの複数の前記暫定パネル配置データを作成するように構成された太陽光発電設備の設計支援プログラム。
【国際調査報告】
2019155594.tif 000013
2019155594.tif 000014
2019155594.tif 000015
2019155594.tif 000016